(57)【要約】【課題】低コストで、カセットガスボンベ内に残存するガスの使用可能時間を正確に把握し、且つガスを有効に利用することができる残存ガス計量器を提供すること。【解決手段】カセットガスボンベ２０、２１を載置する載置部１１と、カセットガスボンベ内のガスの残量に関する情報を表示する表示部１３と、を有し、表示部は、少なくとも、カセットガスボンベの重量を表示する重量表示部１３ａと、カセットガスボンベ内のガスの残量に基づいて、使用するカセットガスコンロ３０、３１での使用可能時間を表示する使用可能時間表示部１３ｂ、１３ｃ、１３ｄと、を有し、残存するガスの使用可能時間は、カセットガスボンベの重量に基づいて表示されている残存ガス計量器１０。【選択図】図４
0003124631.tif 000002
【実用新案登録請求の範囲】
【請求項１】
カセットガスボンベを載置する載置部と、カセットガスボンベ内のガスの残量に関する情報を表示する表示部と、を有する残存ガス計量器であって、
前記表示部は、少なくとも、前記カセットガスボンベの重量を表示する重量表示部と、
前記カセットガスボンベ内のガスの残量に基づいて、使用するカセットガスコンロでの使用可能時間を表示する使用可能時間表示部と、を有していることを特徴とする残存ガス計量器。
【請求項２】
カセットガスボンベを載置する載置部と、カセットガスボンベ内のガスの残量に関する情報を表示する表示部と、を有する残存ガス計量器であって、
前記表示部は、少なくとも、前記カセットガスボンベの重量を表示する重量表示部と、
前記カセットガスボンベ内のガスの残量に基づいて、使用するカセットガスコンロでの使用可能時間を表示する使用可能時間表示部と、を有し、
前記使用可能時間表示部が、前記カセットガスボンベの容器重量の相違に対応した容器別使用可能時間表示部を有することを特徴とする残存ガス計量器。
【請求項３】
カセットガスボンベを載置する載置部と、カセットガスボンベ内のガスの残量に関する情報を表示する表示部と、を有する残存ガス計量器であって、
前記表示部は、少なくとも、前記カセットガスボンベの重量を表示する重量表示部と、
前記カセットガスボンベ内のガスの残量に基づいて、使用するカセットガスコンロでの使用可能時間を表示する使用可能時間表示部と、を有し、
前記使用可能時間表示部が、前記カセットガスコンロの発熱量の相違に対応した発熱量別使用可能時間表示部であることを特徴とする残存ガス計量器。
【請求項４】
カセットガスボンベを載置する載置部と、カセットガスボンベ内のガスの残量に関する情報を表示する表示部と、を有する残存ガス計量器であって、
前記表示部は、少なくとも、前記カセットガスボンベの重量を表示する重量表示部と、
前記カセットガスボンベ内のガスの残量に基づいて、使用するカセットガスコンロでの使用可能時間を表示する使用可能時間表示部と、を有し、
前記重量表示部におけるガスが満充填された前記カセットガスボンベの重量を示す目盛りと、前記カセットガスボンベの容器自体の重量を示す目盛りとの間の目盛りに対応して、前記使用可能時間表示部の使用可能時間目盛りが表示され、
この使用可能時間目盛りは、前記カセットガスボンベの定格使用時間をフルスケールとして割り付けられていることを特徴とする残存ガス計量器。
【考案の詳細な説明】
【技術分野】
【０００１】
本考案は、カセット式のガスコンロ(以下単に「カセットガスコンロ」という)に対して着脱自在に装着されるカセット式のガスボンベ(以下単に「カセットガスボンベ」という)内に収容されている残存ガスに基づいて、その使用可能時間を表示する残存ガス計量器に関するものである。
【背景技術】
【０００２】
従来より、カセットガスコンロには、ガス源として着脱自在のカセットガスボンベが用いられ、このカセットガスボンベ内のガスが無くなったときは、カセットガスボンベを交換する構成となっている。
そのため、従来よりカセットガスボンベ等に収容されたガスの残量を計量するための残量計が提案されている（例えば、特許文献１）。
特許文献１に示す残量計は、ガスが収容されているカセットガスボンベの重量を量り、その重量から当該カセットガスボンベ内のガスの使用可能時間を推測するものであった。
【特許文献１】実開平２−１４４７２９号公報（図２等）
【考案の開示】
【考案が解決しようとする課題】
【０００３】
しかし、カセットガスボンベ内に収容されているガスは、そのカセットガスボンベが使用されるカセットガスコンロの発熱量によって残りの使用可能時間が異なる。
すなわち、カセットガスボンベ内に残っているガスの残量が同じでも、カセットガスコンロの発熱量が大きければ、短時間しかもたず、一方、カセットガスコンロの発熱量が小さければ、長時間、使用できることになる。
このため、特許文献１のように、ガス残量の重さで把握しても、使用するカセットガスコンロで、その後、どのくらいの時間使用可能であるかが正確にわからないため、使用可能であるにもかかわらずカセットガスボンベを廃棄し、ガスを無駄にしてしまうという問題があった。
また、このカセットガスボンベに残存するガスの重さから、使用するカセットガスコンロで使用可能な時間を求めることは理論的に可能であるが、それを実現するには、コストがかかりすぎるという問題があった。さらに、ガスが残存している状態でカセットガスボンベを廃棄すると回収に際し、安全対策を講じる必要があるという問題もあった。
【０００４】
そこで、本考案は、カセットガスボンベ内に残存するガスの使用可能時間を使用するカセットガスコンロに対応して正確に把握し、低コストで、且つガスを有効に利用することができる残存ガス計量器を提供することを目的とする。
【課題を解決するための手段】
【０００５】
前記課題は、請求項１の考案によれば、カセットガスボンベを載置する載置部と、カセットガスボンベ内のガスの残量に関する情報を表示する表示部と、を有する残存ガス計量器であって、前記表示部は、少なくとも、前記カセットガスボンベの重量を表示する重量表示部と、前記カセットガスボンベ内のガスの残量に基づいて、使用するカセットガスコンロでの使用可能時間を表示する使用可能時間表示部と、を有していることを特徴とする残存ガス計量器により達成される。
【０００６】
前記構成によれば、残存ガス計量器は、カセットガスボンベの重量を表示する重量表示部と、カセットガスボンベ内のガスの残量に基づいてカセットガスコンロでの使用可能時間を表示する使用可能時間表示部とを有している。また、その使用可能時間表示部のカセットガスボンベ内に残存するガスの使用可能時間は、カセットガスボンベの重量に基づいて表示されている。このため、残存ガス計量器を用いて、ガスの残存するカセットガスボンベの重量を量ることで、同時に当該カセットガスボンベ内のガスの使用可能時間を把握することができる。したがって、低コストでカセットガスボンベ内に残存するガスの使用可能時間を正確に把握し、ガスを有効に利用することができる残存ガス計量器を提供することができる。
【０００７】
好ましくは、請求項２の考案は、上記請求項１に記載の構成において、前記使用可能時間表示部が、前記カセットガスボンベの容器重量の相違に対応した容器重量別使用可能時間表示部を有することを特徴とする残存ガス計量器である。
【０００８】
前記構成によれば、前記使用可能時間表示部が、カセットガスボンベの容器重量の相違に対応した容器重量別使用可能時間表示部を有している。
異なった容器重量のカセットガスボンベの場合は、同じ重量でも残存するガスの使用可能時間が異なる。この点、前記構成では、異なる容器重量のカセットガスボンベにおける残存ガスの使用可能時間を、それぞれ正確に把握することができる。
【０００９】
好ましくは、請求項３の考案は、請求項１に記載の構成において、前記カセットガスボンベに残存するガスの使用可能時間表示部が、前記カセットガスコンロの発熱量の相違に対応した発熱量別使用可能時間表示部であることを特徴とする残存ガス計量器である。
【００１０】
前記構成によれば、前記使用可能時間表示部が、カセットガスコンロの発熱量の相違に対応した発熱量別使用可能時間表示部を有している。
同じ容器重量のカセットガスボンベであっても、使用するカセットガスコンロの発熱量によって、残存するガスの使用可能時間が異なる。この点、前記構成では、使用するカセットガスコンロの発熱量の相違に対応した残存ガスの使用可能時間を正確に把握することができる。
【００１１】
好ましくは、請求項４の考案は、請求項１に記載の構成において、前記重量表示部におけるガスが満充填された前記カセットガスボンベの重量を示す目盛りと、前記カセットガスボンベの容器自体の重量を示す目盛りとの間の目盛りに対応して、前記使用可能時間表示部の使用可能時間目盛りが表示され、この使用可能時間目盛りは、前記カセットガスボンベの定格使用時間をフルスケールとして割り付けられていることを特徴とする残存ガス計量器である。
【００１２】
前記構成によれば、重量表示部におけるガスが満充填されたカセットガスボンベの重量を示す目盛りと、カセットガスボンベの容器自体の重量を示す目盛りとの間の目盛りに対応して、前記使用可能時間表示部の使用可能時間目盛りが表示され、この使用可能時間目盛りは、前記カセットガスボンベの定格使用時間をフルスケールとして割り付けられている。
このため、利用者は、カセットガスボンベの重量に対応した使用可能時間目盛りを視認することで残存ガスの使用可能時間を容易且つ正確に把握することができる。
【考案の効果】
【００１３】
本考案は、前記のような特徴構成を有することから、低コストで、カセットガスボンベ内に残存するガスの使用可能時間を正確に把握することができる残存ガス計量器を提供することができるという利点がある。
【考案を実施するための最良の形態】
【００１４】
以下、この考案の好適な実施の形態を添付図面等を参照しながら詳細に説明する。
尚、以下に述べる実施の形態は、本考案の好適な具体例であるから、技術的に好ましい種々の限定が付されているが、本考案の範囲は、以下の説明において特に本考案を限定する旨の記載がない限り、これらの態様に限られるものではない。
【００１５】
図１は、本考案の実施の形態に係る残存ガス計量器１０の概略斜視図である。また、図２（ａ）は、この残存ガス計量器１０で計量する通常サイズのカセットガスボンベ２０の概略斜視図、図２（ｂ）は、同じくこの残存ガス計量器１０で計量する小型カセットガスボンベ２１の概略斜視図である。
この残存ガス計量器１０は、図１に示すように、通常サイズのカセットガスボンベ２０や小型カセットガスボンベ２１を載置する載置部であるところの、例えば計量皿１１を有している。
また、この残存ガス計量器１０は、計量皿１１を支持する計量器本体１２を有すると共に、この計量器本体１２には、カセットガスボンベ２０の残量に関する情報を表示する表示部１３を有している。この表示部１３については後述する。
【００１６】
上記通常サイズのカセットガスボンベ２０や小型のカセットガスボンベ２１には、液化石油ガスである、例えば液化ブタンガス(ノルマルブタンとイソブタンの混合)が収容されている。また、上記カセットガスボンベ２０・２１を構成する容器は耐衝撃性等を考慮して鉄板材料(ＪＩＳ  Ｇ３３０３（ブリキ）もしくは同等以上の耐食性金属材)から成っている。
具体的には、図２（ａ）のカセットガスボンベ２０は、その容器自体の重さが例えば、１０５ｇで、それに液化ブタンガスが満充填されたときのカセットガスボンベ２０の全体の重量が例えば、３５５ｇとなっている。
このため、図２（ａ）のカセットガスボンベ２０に液化ブタンガスが満充填されたときの液化ブタンガスの重量は例えば、２５０ｇとなっている。
【００１７】
一方、図２（ｂ）の小型カセットガスボンベ２１は、図２（ａ）のカセットガスボンベ２０より小型になっており、その小型カセットガスボンベ２１の容器自体の重量が例えば８０ｇで、その小型カセットガスボンベ２１に液化ブタンガスが満充填されたときの全体の重量が例えば２００ｇとなっている。
このため、図２（ｂ）の小型カセットガスボンベ２１に液化ブタンガスが満充填されたときの液化ブタンガスの重量は、例えば１２０ｇとなっている。
【００１８】
このように、図１の残存ガス計量器１０で計量するカセットガスボンベ２０・２１は、その大きさや重量が異なるカセットガスボンベを含む概念である。
図３（ａ）は、図２（ａ）のカセットガスボンベ２０を使用するカセットガスコンロ３０の概略斜視図であり、図３（ｂ）は、図２（ａ）・（ｂ）のカセットガスボンベ２０・２１を使用する小型カセットガスコンロ３１を示す概略斜視図である。
具体的には、図３（ａ）のカセットガスコンロ３０は、発熱量が例えば、３０００ｋｃａｌであり、図３（ｂ）の小型カセットガスコンロ３１は、発熱量が例えば、１８００ｋｃａｌである。
したがって、図２（ａ）のカセットガスボンベ２０は、図３（ａ）のカセットガスコンロ３０と図３（ｂ）の小型カセットガスコンロ３１の双方に使用することができるが、発熱量が大きいカセットガスコンロ３０に使用した場合の方が、小型カセットガスコンロ３１に使用した場合より早く液化ブタンガスが消費されることになる。
このように、カセットガスボンベ２０は、使用されるカセットガスコンロ３０・３１の発熱量が相違すると使用可能時間が変化することとなる。
【００１９】
このような特質を有するカセットガスボンベ２０について、本実施の形態に係る残存ガス計量器１０は、カセットガスボンベ２０の重量を測るだけで、使用するカセットガスコンロに対応する使用可能時間を正確に把握できるように構成されている。
具体的には、図１に示すように計量器本体１２の正面に前記表示部１３が配置形成されている。この表示部１３には、計量皿１１に載置したカセットガスボンベ２０・２１の重量を表示する重量表示部である重量目盛り１３ａが上下方向に形成されている。
また、上記表示部１３には、図１に示すように、１８００ｋｃａｌ対応カセットガスコンロ３１に小型カセットガスボンベ２１を使用する場合の目盛り１３ｂと、３０００ｋｃａｌ対応カセットガスコンロ３０にカセットガスボンベ２０使用する場合の目盛り１３ｃと、１８００ｋｃａｌ対応カセットガスコンロ３１にカセットガスボンベ２０を使用する場合の目盛り１３ｄが、重量目盛り１３ａの両側に配置形成されている。
これらの目盛り１３ｂ、１３ｃ、１３ｄは、前記カセットガスボンベ２０・２１の液化ブタンガスの残量により、前記カセットガスコンロ３０・３１に対応する使用可能時間を表示する使用可能時間表示部の一例を示している。
以下、これらのカセットガスボンベ用目盛り１３ｂ、１３ｃ、１３ｄについて詳しく説明する。
【００２０】
図４は、図１の表示部１３の概略拡大図である。
図４の小型カセットガスボンベ用目盛り１３ｂは、図２（ｂ）の小型カセットガスボンベ２１を図３（ｂ）の小型カセットガスコンロ３１に使用する場合におけるガスの残量に対応した使用可能時間を示すものである。
具体的には、小型カセットガスボンベ２１の容器自体（風袋）の重量が、重量目盛り１３ａの８０ｇに対応している。すなわち、小型カセットガスボンベ２１内の液化ブタンガスを全て使い切った状態で、図１の残量ガス計量器１０の計量皿１１に載置すると、重量目盛り１３ａが８０ｇを指す構成となっている。
また、小型カセットガスボンベ２１に液化ブタンガスが満充填された場合の重量が、重量目盛り１３ａの２００ｇに対応している。すなわち、小型カセットガスボンベ２１内の液化ブタンガスが満充填された状態で、図１の残量ガス計量器１０の計量皿１１に載置すると、重量目盛り１３ａが２００ｇを指す構成となっている。
【００２１】
そして、小型カセットガスボンベ２１を満充填した状態で、図３（ｂ）の小型カセットガスコンロ３１に装着し、発熱量１８００ｋｃａｌで使用を開始すると５０分で使い切ることから、図４に示すように、前記小型カセットガスボンベ用目盛り１３ｂには、０分から５０分までの目盛りが付されている。
つまり、小型カセットガスボンベ２１の重量の減少に対応して、当該小型カセットガスボンベ２１内の残り液化ブタンガスの使用可能時間が短くなるように表示される構成となっている。したがって、利用者は、小型カセットガスボンベ２１を計量皿１１に載せ、重量目盛り１３ａに対応する目盛り１３ｂを見ることで、当該小型カセットガスボンベ２１内の液化ブタンガスの残りの使用可能時間を正確に把握することができる。
このように、小型カセットガスボンベ用目盛り１３ｂに示す使用可能時間は、重量目盛り１３ａに基づいて表示されており、具体的には、重量目盛り１３ａにおける液化ブタンガスが満充填されたときの小型カセットガスボンベ２１の重量（２００ｇ）を示す目盛りと、小型カセットガスボンベ２１の容器自体の重量（８０ｇ）を示す目盛りとの間の目盛りに対応して当該目盛り１３ｂが表示される。つまり、この目盛り１３ｂは、小型カセットガスボンベ２１に液化ブタンガスが満充填されたときの定格使用時間（５０分）をフルスケールとして均等に割り付けられている。
【００２２】
以上のように、残存ガス計量器１０の利用者は、小型カセットガスボンベ２１を図１の計量皿１１に載置して重量を量ることで、同時に小型カセットガスボンベ２１内の液化ブタンガスの残りの使用可能時間を正確に把握することができる。
したがって、低コストで、小型カセットガスボンベ２１内に残存する液化ブタンガスを有効に利用し、使い切ることができる。
【００２３】
また、本実施の形態では、図４に示すように、重量目盛り１３ａの左側には、１８００ｋｃａｌ対応の小型カセットガスコンロ３１にカセットガスボンベ２０を使用する場合の目盛り１３ｄと、３０００ｋｃａｌ対応のカセットガスコンロ３０にカセットガスボンベ２０を使用する場合の目盛り１３ｃが並んで配置されている。
すなわち、カセットガスボンベ２０は図２（ｂ）に示す小型カセットガスボンベ２１より容量や重量が大きく、内部に収容されている液化ブタンガスの量も異なるため、カセットガスボンベ２０のための目盛り１３ｃ・１３ｄをカセットガスコンロの発熱量に対応させて、小型カセットガスボンベ用の目盛り１３ｂとは別に形成している。
つまり、上記目盛り１３ｄは、図２（ａ）のガスボンベ２０を図３（ｂ）の小型カセットガスコンロ３１に使用した場合におけるガスの残量に対応した使用可能時間を示すものであり、上記目盛り１３ｃは、図２（ａ）のカセットガスボンベ２０を図３（ａ）のカセットガスコンロ３０に使用した場合におけるガスの残量に対応した使用可能時間を示すものである。
ところで、上記目盛り１３ｂ、１３ｄ、１３ｃは、カセットガスボンベ２０及び小型カセットガスボンベ２１の容器重量の相違に対応した容器重量別使用可能時間表示部の一例を示している。
【００２４】
このように、カセットガスボンベ２０と小型カセットガスボンベ２１とで異なった目盛りを用いることにより、カセットガスボンベ２０・２１の相違に対応した、残りの液化ブタンの使用可能時間を正確に把握することができる。
【００２５】
また、同じカセットガスボンベ２０で、その残量（重量）が同じでも、そのカセットガスボンベ２０を装着するカセットガスコンロ３０・３１の発熱量が相違すると、残存するガスの使用可能時間が相違してくる。
これは、発熱量が大きいカセットガスコンロ３０（３０００ｋｃａｌ）の方が、発熱量が小さい小型カセットガスコンロ３１（１８００ｋｃａｌ）より早く液化ブタンガスを消費するためである。
そこで、本実施の形態では、上述のように、同じカセットガスボンベ２０でも、発熱量が異なるカセットガスコンロ３０や小型カセットガスコンロ３１に使用する場合を想定して、それに対応した目盛り（以下「３０００ｃａｌ対応カセットガスボンベ用目盛り１３ｃ」及び「１８００ｋｃａｌ対応カセットガスボンベ用目盛り１３ｄ」という）を別個に配置した（図４参照）。
ところで、３０００ｋｃａｌ対応カセットガスボンベ用目盛り１３ｃや１８００ｋｃａｌ対応カセットガスボンベ用目盛り１３ｄは、カセットガスコンロ３０・３１の発熱量の相違に対応した発熱量別使用可能時間表示部の一例を示している。
このように発熱量の相違に基づく、３０００ｋｃａｌ対応カセットガスボンベ用目盛り１３ｃや１８００ｋｃａｌ対応カセットガスボンベ用目盛り１３ｄを表示部１３に配置することで、同じ容器重量のカセットガスボンベ２０であっても、使用するカセットガスコンロ３０・３１の発熱量の相違を考慮した正確な残りの液化ブタンガスの使用可能時間を把握できることになる。
【００２６】
また、本実施の形態では、図４に示すように、重量目盛り１３ａ、小型カセットガスボンベ用目盛り１３ｂ、１８００ｋｃａｌ対応カセットガスボンベ用目盛り１３ｄ及び３０００ｋｃａｌ対応カセットガスボンベ用目盛り１３ｃが並列して配置されている。
このため、利用者にとってカセットガスボンベ２０に関する重量目盛り１３ａや小型カカセットガスボンベ用目盛り１３ｂ等が見やすい構成となっている。
【００２７】
（本実施の形態の変形例）
図５は、図１に示す本実施の形態に係る表示部の変形例に係る表示部３３を示す概略図である。本変形例の表示部３３では、図５に示すように、前記表示部１３と異なり、重量目盛り３３ａ、小型カセットガスボンベ用目盛り３３ｂ、１８００ｋｃａｌ対応カセットガスボンベ用目盛り３３ｄ、３０００ｋｃａｌ対応カセットガスボンベ用目盛り３３ｃが円弧状に配置されている。
【００２８】
なお、本考案は、上記の実施の形態に限定されるものではなく、残存ガス計量器の表示部に、３０００ｋｃａｌ対応のカセットガスコンロ３０に小型カセットガスボンベ２１を使用する場合の目盛りを付しても差し支えない。また、上記の実施形態ではカセットガスボンベ内に充填される液化石油ガスとして液化ブタンガスを充填する場合について例示したが、カセットガスコンロが寒冷地で使用される場合には、沸点が低く気化促進に優れるイソブタンガスの混合比率を高めたものが用いられる。
【図面の簡単な説明】
【００２９】
【図１】本考案の実施の形態に係る残存ガス計量器を例示する概略斜視図である。
【図２】（ａ）は、この残存ガス計量器で計量するカセットガスボンベを、（ｂ）は、残存ガス計量器で計量する小型カセットガスボンベを、それぞれ例示する概略斜視図である。
【図３】（ａ）は、図２（ａ）のカセットガスボンベを使用するカセットガスコンロを、（ｂ）は、図２（ａ）（ｂ）のカセットガスボンベを使用する小型カセットガスコンロを、それぞれ例示する概略斜視図である。
【図４】図１の表示部の概略拡大図である。
【図５】本考案の変形例に係る表示部を例示する概略図である。
【符号の説明】
【００３０】
１０・・・残存ガス計量器、１１・・・計量皿、１２・・・計量器本体、１３、３３・・・表示部、１３ａ、３３ａ・・・重量目盛り、１３ｂ、３３ｂ・・・小型カセットガスボンベ用目盛り、１３ｃ、３３ｃ・・・３０００ｋｃａｌ対応カセットガスボンベ用目盛り、１３ｄ、３３ｄ・・・１８００ｋｃａｌ対応カセットガスボンベ用目盛り、２０・・・カセットガスボンベ、２１・・・小型カセットガスボンベ、３０・・・カセットガスコンロ、３１・・・小型カセットガスコンロ。
【図１】
0003124631.tif 000003
【図２】
0003124631.tif 000004
【図３】
0003124631.tif 000005
【図４】
0003124631.tif 000006
【図５】
0003124631.tif 000007